(57)【要約】      （修正有）【課題】かご制御盤及び乗場制御盤の表示器に採用されている従来の表示器をドットマトリックス式表示器に簡単にかつ短期間で変更する。【解決手段】エレベータのかご内のかご制御盤１６及び各乗場の乗場制御盤２２からの呼びに応じてかご４を運転制御する主制御装置１３から表示信号が印加され、かご制御盤１６及び各乗場制御盤２２に設けられた表示器をドットＬＥＤ式表示器またはセグメント式表示器からドットマトリックス式表示器３に変更したリニューアルエレベータの表示制御装置において、かご制御盤１６及び前記各乗場制御盤２２に設けられ、主制御装置１３から信号線１９、２５を介して入力されたドットＬＥＤ式表示器またはセグメント式表示器に対する表示信号をドットマトリックス式表示器３に適合する表示信号に変換する信号変換部４０を備えている。【選択図】図１
2007230692.tif 000002
【特許請求の範囲】
【請求項１】
エレベータのかご内のかご制御盤及び各乗場の乗場制御盤からの呼びに応じてかごを運転制御する主制御装置から表示信号が印加され、前記かご制御盤及び各乗場制御盤に設けられた表示器をドットＬＥＤ式表示器からドットマトリックス式表示器に変更したリニューアルエレベータの表示制御装置において、
前記かご制御盤及び前記各乗場制御盤に設けられ、前記主制御装置から信号線を介して入力されたドットＬＥＤ式表示器に対する表示信号をドットマトリックス式表示器に適合する表示信号に変換する信号変換部を備えたリニューアルエレベータの表示制御装置。
【請求項２】
エレベータのかご内のかご制御盤及び各乗場の乗場制御盤からの呼びに応じてかごを運転制御する主制御装置から表示信号が印加され、前記かご制御盤及び各乗場制御盤に設けられた表示器をセグメント式表示器からドットマトリックス式表示器に変更したリニューアルエレベータの表示制御装置において、
前記かご制御盤及び前記各乗場制御盤に設けられ、前記主制御装置から信号線を介して入力されたセグメント式表示器に対する表示信号をドットマトリックス式表示器に適合する表示信号に変換する信号変換部を備えたリニューアルエレベータの表示制御装置。
【請求項３】
エレベータのかご内のかご制御盤及び各乗場の乗場制御盤からの呼びに応じてかごを運転制御する主制御装置から表示信号が印加され、少なくとも前記かご制御盤に設けられた表示器をドットＬＥＤ式表示器からドットマトリックス式表示器に変更したリニューアルエレベータの表示制御装置において、
前記かご制御盤に設けられ、機械室内に設けられた前記主制御装置からパラレル信号線を介して送信されたドットＬＥＤ式表示器に対する表示信号をドットマトリックス式表示器に適合する表示信号に変換するとともに、この変換した表示信号をシリアル表示信号に変更する第１伝送制御部と、
前記かご制御盤に設けられ、前記第１伝送制御部で変換されたシリアル表示信号をパラレル表示信号に変換して、前記ドットマトリックス式表示器に印加する第２伝送制御部と
を備えたリニューアルエレベータの表示制御装置。
【請求項４】
エレベータのかご内のかご制御盤及び各乗場の乗場制御盤からの呼びに応じてかごを運転制御する主制御装置から表示信号が印加され、少なくとも前記各乗場制御盤に設けられた表示器をドットＬＥＤ式表示器からドットマトリックス式表示器に変更したリニューアルエレベータの表示制御装置において、
前記主制御装置と共に機械室に設けられ、前記主制御装置から出力され各乗場制御盤のドットＬＥＤ式表示器に対する表示信号をドットマトリックス式表示器に適合する表示信号に変換するとともに、この変換した表示信号をシリアル表示信号に変更する第３伝送制御部と、
前記各乗場の乗場制御盤に設けられ、機械室内に設けられた前記第３伝送制御部からシリアル信号線を介して送信されたシリアル表示信号をパラレル表示信号に変換して、前記ドットマトリックス式表示器に印加する第４伝送制御部と
を備えたリニューアルエレベータの表示制御装置。
【請求項５】
エレベータのかご内のかご制御盤及び各乗場の乗場制御盤からの呼びに応じてかごを運転制御する主制御装置から表示信号が印加され、前記かご制御盤及び各乗場制御盤に設けられた表示器をドットＬＥＤ式表示器からドットマトリックス式表示器に変更したリニューアルエレベータの表示制御装置において、
前記かご制御盤に設けられ、機械室内に設けられた前記主制御装置からパラレル信号線を介して送信されたドットＬＥＤ式表示器に対する表示信号をドットマトリックス式表示器に適合する表示信号に変換するとともに、この変換した表示信号をシリアル表示信号に変更する第１伝送制御部と、
前記かご制御盤に設けられ、前記第１伝送制御部で変換されたシリアル表示信号をパラレル表示信号に変換して、前記ドットマトリックス式表示器に印加する第２伝送制御部と
前記主制御装置と共に機械室に設けられ、前記主制御装置から出力され各乗場制御盤のドットＬＥＤ式表示器に対する表示信号をドットマトリックス式表示器に適合する表示信号に変換するとともに、この変換した表示信号をシリアル表示信号に変更する第３伝送制御部と、
前記各乗場の乗場制御盤に設けられ、機械室内に設けられた前記第３伝送制御部からシリアル信号線を介して送信されたシリアル表示信号をパラレル表示信号に変換して、前記ドットマトリックス式表示器に印加する第４伝送制御部と
を備えたリニューアルエレベータの表示制御装置。
【請求項６】
エレベータのかご内のかご制御盤及び各乗場の乗場制御盤からの呼びに応じてかごを運転制御する主制御装置から表示信号が印加され、少なくとも前記かご制御盤に設けられた表示器をセグメント式表示器からドットマトリックス式表示器に変更したリニューアルエレベータの表示制御装置において、
前記かご制御盤に設けられ、機械室内に設けられた前記主制御装置からパラレル信号線を介して送信されたセグメント式表示器に対する表示信号をドットマトリックス式表示器に適合する表示信号に変換するとともに、この変換した表示信号をシリアル表示信号に変更する第１伝送制御部と、
前記かご制御盤に設けられ、前記第１伝送制御部で変換されたシリアル表示信号をパラレル表示信号に変換して、前記ドットマトリックス式表示器に印加する第２伝送制御部と
を備えたリニューアルエレベータの表示制御装置。
【請求項７】
エレベータのかご内のかご制御盤及び各乗場の乗場制御盤からの呼びに応じてかごを運転制御する主制御装置から表示信号が印加され、少なくとも前記各乗場制御盤に設けられた表示器をセグメント式表示器からドットマトリックス式表示器に変更したリニューアルエレベータの表示制御装置において、
前記主制御装置と共に機械室に設けられ、前記主制御装置から出力され各乗場制御盤のセグメント式表示器に対する表示信号をドットマトリックス式表示器に適合する表示信号に変換するとともに、この変換した表示信号をシリアル表示信号に変更する第３伝送制御部と、
前記各乗場の乗場制御盤に設けられ、機械室内に設けられた前記第３伝送制御部からシリアル信号線を介して送信されたシリアル表示信号をパラレル表示信号に変換して、前記ドットマトリックス式表示器に印加する第４伝送制御部と
を備えたリニューアルエレベータの表示制御装置。
【請求項８】
エレベータのかご内のかご制御盤及び各乗場の乗場制御盤からの呼びに応じてかごを運転制御する主制御装置から表示信号が印加され、前記かご制御盤及び各乗場制御盤に設けられた表示器をセグメント式表示器からドットマトリックス式表示器に変更したリニューアルエレベータの表示制御装置において、
前記かご制御盤に設けられ、機械室内に設けられた前記主制御装置からパラレル信号線を介して送信されたセグメント式表示器に対する表示信号をドットマトリックス式表示器に適合する表示信号に変換するとともに、この変換した表示信号をシリアル表示信号に変更する第１伝送制御部と、
前記かご制御盤に設けられ、前記第１伝送制御部で変換されたシリアル信号をパラレル表示信号に変換して、前記ドットマトリックス式表示器に印加する第２伝送制御部と
前記主制御装置と共に機械室に設けられ、前記主制御装置から出力され各乗場制御盤のセグメント式表示器に対する表示信号をドットマトリックス式表示器に適合する表示信号に変換するとともに、この変換した表示信号をシリアル表示信号に変更する第３伝送制御部と、
前記各乗場の乗場制御盤に設けられ、機械室内に設けられた前記第３伝送制御部からシリアル信号線を介して送信されたシリアル表示信号をパラレル表示信号に変換して、前記ドットマトリックス式表示器に印加する第４伝送制御部と
を備えたリニューアルエレベータの表示制御装置。
【請求項９】
エレベータのかご内のかご制御盤及び各乗場の乗場制御盤からの呼びに応じてかごを運転制御する主制御装置から表示信号が印加され、少なくとも前記かご制御盤に設けられた表示器をドットＬＥＤ式表示器又はセグメント式表示器からドットマトリックス式表示器に変更したリニューアルエレベータの表示制御装置において、
前記かご制御盤に設けられ、機械室内に設けられた前記主制御装置からパラレル信号線を介して送信されたドットＬＥＤ式表示器又はセグメント式表示器に対する表示信号をドットマトリックス式表示器に適合する表示信号に変換するとともに、この変換した表示信号をシリアル表示信号に変更する第１伝送制御部と、
前記かご制御盤に設けられ、前記第１伝送制御部で変換されたシリアル表示信号をパラレル表示信号に変換して、前記ドットマトリックス式表示器に印加する第２伝送制御部と
を備えたリニューアルエレベータの表示制御装置。
【発明の詳細な説明】
【技術分野】
【０００１】
本発明は、既設のエレベータシステムにおける各表示器をデジタルのドットマトリックス式表示器に変更したリニューアルエレベータの表示制御装置に関する。
【背景技術】
【０００２】
周知の通り、エレベータの制御装置においても一般の電子制御機器と同様に、半導体技術の進歩にともない、多数のマイクロコンピュータが採用されており、性能の向上と小型化が図られている。
【０００３】
このマイクロコンピュータは、エレベータに採用され始めたころには、エレベータの機械室に収納される主制御装置にのみ採用して、主制御装置から各階のエレベータホールの乗場制御盤の表示器に対する表示信号及び乗場呼びボタンの制御や、エレベータのかご内に設けられたかご制御盤のかご表示器に対する表示信号およびかご呼びボタンの制御を行っていた。
【０００４】
しかし、半導体技術の進歩にともなって、かご制御盤や乗場制御盤にもマイクロコンピュータを導入することで主制御装置と乗場制御盤との間、及び主制御装置とかご制御盤との間における通信の直列通信化（シリアル信号化）を実現して昇降路内の電線本数やテールコードの電線本数を減らしてきている。
【０００５】
従来のかご制御盤や乗場制御盤におけるかご位置の表示方法は、図１１（ａ）、図１１（ｃ）に示すように、概ね、ドットＬＥＤの点灯箇所をシフトさせてＬＥＤ点灯箇所の隣にかご位置を表す数字をアクリルなどで示す方法、すなわちドットＬＥＤ点灯式表示器１が採用されていた。さらに、図１３に示すように、１６から２３個の表示信号を使用して１６セグメントのＬＥＤ２桁でエレベータの階床表示を行う方法、すなわち１６セグメントＬＥＤ点灯表示器２が主流であった。
【０００６】
しかし、各乗場制御盤やかご制御盤にマイクロコンピュータを組込むことにより、図１５に示すように、近年では、ＬＥＤをドットマトリックス状に並べて該当のＬＥＤを点灯させることによってエレベータの階床表示を行う方法、すなわちデジタルドットマトリックス式ＬＥＤ表示器３が主流となってきている。
【０００７】
図１０に主制御装置のみマイクロコンピュータを導入し、各表示器にドットＬＥＤ点灯式表示器を採用した、既設のエレベータシステムの構成図を示す。
【０００８】
エレベータのかご４が上下移動する昇降路５の上側の機械室６内に電動機７で回転される巻上機８が設置され、この巻上機８の両端にかご４及び釣合重り９が取付けられて主ロープ１０が掛けられている。電動機７は交流電源１１から供給される交流を用いた駆動回路１２にて回転制御される。機械室６内には、巻上機８の他に、マイクロコンピュータが組込まれた主制御装置１３及び入出力回路１４を収納した主制御盤１５が設置されている。
【０００９】
かご４内には、かご制御盤１６が取付けられており、このかご制御盤１６には前述した図１１（ａ）に示すドットＬＥＤ点灯式表示器１及び図１１（ｂ）に示すかご呼びボタン１７が設けられている。この例では図１１(a)に示すように、このエレベータのサービス階が１〜４階であるので、ドットＬＥＤ点灯式表示器１においては、上方、下方のかご４の行先を含めて合計６個のＬＥＤ１８にかご位置を表す数字が表記されたアクリルカバーで覆われている。
【００１０】
したがって、このドットＬＥＤ点灯式表示器１は、主制御装置１３から入出力回路１４を介して６本の信号線１９にて点灯制御される。かご呼びボタン１７においては、図１１（ｂ）に示すように１〜４階の４個の押しボタン２０が設けられ、４本の信号線２１にて、入出力回路１４を介して主制御装置１３へかご呼び信号が送出される。
【００１１】
一方、各階のエレベータホールに設けられた乗場制御盤２２には、図１１（ｃ）に示すドットＬＥＤ点灯式表示器２３及び図１１（ｄ）に示す乗場呼びボタン２４が設けられている。ドットＬＥＤ点灯式表示器２３はかご４のドットＬＥＤ点灯式表示器１と同様に、上方、下方のかご４の行先を含めて合計６個のＬＥＤ１８が設けられ、主制御装置１３から入出力回路１４を介して６本の信号線２５にて点灯制御される。乗場呼びボタン２４において、上方、下方の２個の押しボタン２０が設けられ、２本の信号線２６にて、入出力回路１４を介して主制御装置１３へ乗場呼び信号が送出される。
【００１２】
主制御装置１３には、一般に８ビットから３２ビットのＣＰＵが使用される。入出力回路１４は、主制御装置１３から外部に信号を通信するために必要な回路であり、主制御装置１３からのＤＣ５Ｖのパラレルの表示信号をＤＣ２４Ｖのパラレルの表示信号に変換して、各信号線１９、２５を介して、ドットＬＥＤ点灯式表示器１、２３へ送信する。また、信号線２１、２６を介して入力されたＤＣ２４Ｖのかご呼び、乗場呼び信号を、ＤＣ５Ｖの呼び信号に変換して、主制御装置１３へ送出する。
【００１３】
一般に主制御装置１３ではＤＣ５Ｖの制御信号しか演算を行えないことに対して、昇降路５やテールコードなどの主制御装置１３の外部環境ではＤＣ５Ｖ制御信号で信号を通信するとモーターのインバーターノイズなどのノイズ環境に起因した誤動作を招く危険性がある。
【００１４】
このため、入出力回路１４で、信号の電圧をＤＣ２４Ｖとすることでノイズに対する余裕度を上げて安全で高品質な制御を実現しており、エレベータのみならず産業用機器においても同様の回路構成が一般的な構成となっている。
【００１５】
このように、主制御装置１３は、エレベータのかご４内のかご制御盤１６及び各乗場の乗場制御盤２２からのかご呼び、乗場呼びに応じて、駆動回路１２を介して電動機７を回転制御して、かご４をかご呼び、乗場呼びが指定する階へ移動制御する。さらに、主制御装置１３は、信号線１９、２５を介して、ドットＬＥＤ点灯式表示器１、２３を点灯表示する。
【００１６】
図１２に主制御装置のみマイクロコンピュータを導入し、各表示器に１６セグメントＬＥＤ点灯表示器２を採用した既設のエレベータシステムの構成図を示す。なお、図１０のエレベータシステムと同一部分には同一符号が付してある。
【００１７】
このエレベータシステムのかご４内のかご制御盤１６、及び各階の乗場制御盤２２には、ドットＬＥＤ点灯式表示器１、２３の代わりに、図１３に示す１６セグメントＬＥＤ点灯表示器２が組込まれている。
【００１８】
この１６セグメントＬＥＤ点灯表示器２は、図示するように、数字、文字を表示する７セグメントの２つの表示部と各１セグメントの上方向、下方向の表示部とからなる合計１６個のセグメント（ＬＥＤ）２７で構成されている。したがって、かご制御盤１６の１６セグメントＬＥＤ点灯表示器２及び各乗場制御盤２２の１６セグメントＬＥＤ点灯表示器２は、それぞれ主制御装置１３から入出力回路１４を介して１６本の信号線１９ａ、２５ａにて点灯制御される。
【００１９】
図１４は、主制御装置にマイクロコンピュータを導入し、かつ各表示器にもマイクロコンピュータで表示制御されるデジタルドットマトリックス式ＬＥＤ表示器３を採用したエレベータシステムの構成図を示す。なお、図１０のエレベータシステムと同一部分には同一符号が付してある。
【００２０】
主制御盤１５内には主制御装置１３と入出回路の代わりの主伝送制御部２８が設けられている。かご制御盤１６には、デジタルドットマトリックス式ＬＥＤ表示器３、かご伝送制御部２９、かご呼びボタン１７が設けられている。さらに、各階の乗場制御盤２２には、デジタルドットマトリックス式ＬＥＤ表示器３、乗場伝送制御部３０、乗場呼びボタン２４が設けられている。
【００２１】
主制御盤１５内の主伝送制御部２８は、主制御装置１３から出力されたかご制御盤１６のデジタルドットマトリックス式ＬＥＤ表示器３及び各乗場制御盤２２のデジタルドットマトリックス式ＬＥＤ表示器３に対するパラレル表示信号をシリアル表示信号に変換して、それぞれシリアル信号線３１、３２を介して、かご伝送制御部２９、乗場伝送制御部３０へ送信する。
【００２２】
かご伝送制御部２９は、シリアル信号線３１を介して入力されたシリアル表示信号をパラレル表示信号に変換して、このパラレル表示信号でデジタルドットマトリックス式ＬＥＤ表示器３を表示制御する。さらに、かご伝送制御部２９は、図１５に示すように、かご呼びボタン１７から入力されたパラレルのかご呼び信号をシリアルのかご呼び信号に変換してシリアル信号線３１を介して主伝送制御部２８へ送信する。
【００２３】
各乗場伝送制御部３０は、シリアル信号線３２を介して入力されたシリアル表示信号をパラレル表示信号に変換して、このパラレル表示信号でデジタルドットマトリックス式ＬＥＤ表示器３を表示制御する。さらに、各乗場伝送制御部３０は、乗場呼びボタン２４から入力されたパラレルの乗場呼び信号をシリアルの乗場呼び信号に変換してシリアル信号線３２を介して主伝送制御部２８へ送信する。
【００２４】
主伝送制御部２８は、各シリアル信号線３１、３２を介して、入力されたシリアルのかご呼び信号、乗場呼び信号を元のパラレルのかご呼び信号、乗場呼び信号に変換して、主制御装置１３へ送出する。
【００２５】
図１５にデジタルドットマトリックス式ＬＥＤ表示器３の構成を示す。デジタルドットマトリックス式ＬＥＤ表示器３は階床コード解析用ＣＰＵ３３と階床表示用ＬＥＤ３４と方向表示用ＬＥＤ３５で構成される。
【００２６】
階床コード解析用ＣＰＵ３３はかご伝送制御部２９から出力された階床・方向コード信号３６を解析してＬＥＤ行点灯制御信号３７とＬＥＤ列点灯制御信号３８を出力する。
【００２７】
ＬＥＤ行点灯制御信号３７は階床表示用ＬＥＤ３４の最上段から順次、方向表示用ＬＥＤ３５の最下段のＬＥＤまで横１行毎に１行分のドットデータ（Ｄ1、Ｄ2、…、Ｄ11）の点灯制御信号を出力して再度階床表示用ＬＥＤ３４の最上段から順次ＬＥＤの点灯制御信号を出力する処理を周期的に繰り返す。一方、ＬＥＤ列点灯制御信号３８は前記ＬＥＤ行点灯制御信号３７に対応する該当のＬＥＤを点灯させる制御を行い、前述の２つの制御信号が共に有効となるＬＥＤを点灯させることで表示させる点灯パターンを決定する。
【００２８】
前述したように、エレベータにマイクロコンピュータを採用し始めた時期には図１０や図１２の構成に基づくエレベータの制御装置が主流となっていたために、エレベータの表示器は、前述したように、一般にドットＬＥＤ方式または１６セグメントＬＥＤ方式のいずれかであったが、近年のエレクトロニクスの進歩に伴い、かご制御盤１６、乗場制御盤２２にマイクロコンピュータを導入することで、表示器に、例えば、デジタルドットマトリックス式ＬＥＤ表示器３を採用することにより、様々な表示パターンを実現できるようになりエレベータの顔となる表示器は顧客からも様々な表示パターンの要望が出てきている。
【００２９】
また、エレベータシステムにマイクロコンピュータを採用し始めてから２０年以上が経過した現在においては、主制御装置１３のみマイクロコンピュータを導入した既設のエレベータシステムにおいては、かご４や乗り場の改修やリニューアルの要望が増加してきており、顧客からデジタルドットマトリックス式ＬＥＤ表示器３への変更を求める要望も増加している。
【００３０】
さらに、顧客によっては乗場の階床ごとにドットＬＥＤ点灯式表示器１の階床と、１６セグメントＬＥＤ点灯表示器２の階床と、デジタルドットマトリックス式ＬＥＤ表示器３の階床とを組合わることを求める要望もある。
【００３１】
なお、特許文献１には、機械室に設置された既設の制御装置、及び各階に設けられた場制御盤に取付けられた、既設のアナログの表示器を、それぞれ新設の制御装置及びデジタルの表示器に更新する場合における更新手順が記載されている。さらに、更新期間中に使用される既設の制御装置からの信号を新設のデジタルの表示器に変更するインターフェース装置を採用する技術が記載されている。
【特許文献１】特開平１１−３４９２５４号公報
【発明の開示】
【発明が解決しようとする課題】
【００３２】
しかしながら、デジタルドットマトリックス式ＬＥＤ表示器を採用したエレベータの制御装置は主制御装置１３とかご制御盤１６との間の信号や、主制御装置１３と乗場制御盤２２との間の信号は主にシリアル信号が採用されている。
【００３３】
したがって、主制御装置１３のみにマイクロコンピュータを導入した既設のエレベータシステムでは顧客に主制御装置１３を含むエレベータシステム全体の電気制御装置の総交換、すなわちリニューアルを進めて実現せざるを得ないことから、顧客の要望に応えるためには改造によるエレベータの休止時間が短期間では実現できない問題が想定される。
【００３４】
特にマンションやオフィスビルなど日常頻繁に利用されるエレベータでは電気制御装置の総交換を行うと改造対象号機は数日間停止せざるを得ないため、日常利用する乗客は停止している間にエレベータを利用できない問題が想定される。
【００３５】
本発明はこのような事情に鑑みてなされたものであり、エレベータシステムにおける電気制御系における変更を最小限に抑制した状態で、かご制御盤及び乗場制御盤の表示器に採用されているドットＬＥＤ点灯式表示器又は１６セグメントＬＥＤ点灯式表示器を簡単にかつ短期間でデジタルドットマトリックス式ＬＥＤ表示器に交換でき、顧客及びエレベータの利用者に対するサービスを向上できるリニューアルエレベータの表示制御装置を提供することを目標とする。
【課題を解決するための手段】
【００３６】
上記課題を解消するために、本発明は、エレベータのかご内のかご制御盤及び各乗場の乗場制御盤からの呼びに応じてかごを運転制御する主制御装置から表示信号が印加され、前記かご制御盤及び各乗場制御盤に設けられた表示器をドットＬＥＤ式表示器からドットマトリックス式表示器に変更したリニューアルエレベータの表示制御装置において、かご制御盤及び各乗場制御盤に設けられ、主制御装置から信号線を介して入力されたドットＬＥＤ式表示器に対する表示信号をドットマトリックス式表示器に適合する表示信号に変換する信号変換部を備えている。
【００３７】
また、別の発明においては、エレベータのかご内のかご制御盤及び各乗場の乗場制御盤からの呼びに応じてかごを運転制御する主制御装置から表示信号が印加され、かご制御盤及び各乗場制御盤に設けられた表示器をセグメント式表示器からドットマトリックス式表示器に変更したリニューアルエレベータの表示制御装置において、かご制御盤及び各乗場制御盤に設けられ、主制御装置から信号線を介して入力されたセグメント式表示器に対する表示信号をドットマトリックス式表示器に適合する表示信号に変換する信号変換部を備えている。
【００３８】
このように構成されたリニューアルエレベータの表示制御装置においては、例えば、主制御装置から信号線を介して入力されたドットＬＥＤ式表示器又はセグメント式表示器に対するそれぞれの表示信号は信号変換部でドットマトリックス式表示器に適合する表示信号に変換される。したがって、主制御装置は、ドットＬＥＤ式表示器又はセグメント式表示器に対するそれぞれの改修前の表示信号で、ドットマトリックス式表示器に表示信号で指定した階床及び方向をドットマトリックス表示できる。
【００３９】
また、別の発明は、上述したリニューアルエレベータの表示制御装置において、かご制御盤に設けられ、機械室内に設けられた前記主制御装置からパラレル信号線を介して送信されたドットＬＥＤ式表示器に対する表示信号をドットマトリックス式表示器に適合する表示信号に変換するとともに、この変換した表示信号をシリアル表示信号に変更する第１伝送制御部と、かご制御盤に設けられ、第１伝送制御部で変換されたシリアル表示信号をパラレル表示信号に変換して、ドットマトリックス式表示器に印加する第２伝送制御部とを備えている。
【００４０】
さらに、別の発明においては、上記第１伝送制御部と第２伝送制御部に加えて、主制御装置と共に機械室に設けられ、主制御装置から出力され各乗場制御盤のドットＬＥＤ式表示器に対する表示信号をドットマトリックス式表示器に適合する表示信号に変換するとともに、この変換した表示信号をシリアル表示信号に変更する第３伝送制御部と、各乗場の乗場制御盤に設けられ、機械室内に設けられた第３伝送制御部からシリアル信号線を介して送信されたシリアル表示信号をパラレル表示信号に変換して、ドットマトリックス式表示器に印加する第４伝送制御部とを付加している。
【００４１】
さらに、ドットＬＥＤ式表示器をセグメント式表示器に置換えたり、ドットＬＥＤ式表示器をドットＬＥＤ式表示器又はセグメント式表示器とすることも可能である。
【００４２】
このように構成されたリニューアルエレベータの表示制御装置においては、主制御装置から出力されたかご制御盤のドットマトリックス式表示器に対するパラレル表示信号はパラレル信号線を介してかご制御盤の第１伝送制御盤でドットマトリックス式表示器に対する表示信号に変換されてさらにシリアル表示信号に変換され第２伝送制御部へ送信される。第２伝送制御部において、このシリアル表示信号はパラレル表示信号に変換されてドットマトリックス式表示器に印加される。
【００４３】
また、主制御装置から出力された乗場制御盤のドットＬＥＤ式表示器に対するパラレル表示信号は第３伝送制御部でドットマトリックス式表示器に対する表示信号に変換され、さらにシリアル表示信号に変換されて、シリアル信号線を介して各乗場制御盤の第４伝送制御部へ送信される。各乗場制御盤の第４伝送制御部において、入力されたシリアル表示信号はパラレル表示信号に変換されてドットマトリックス式表示器に印加される。
【００４４】
このように、機械室に設けられた主制御装置と昇降路内を移動制御されるかご内に設けられたかご制御盤とを接続する信号線を改修前のパラレル信号の信号線をそのまま採用することによる昇降路内に存在する取り扱いが非常に煩雑な主制御装置とかごとを接続する帯状の信号線の束であるテールコードを交換する必要がない。
【００４５】
なお、主制御装置と各乗場制御とを接続する信号線は固定配線であるので、シリアル信号線に変更することにより、簡単に信号線数を低減できる。
【発明の効果】
【００４６】
本発明においては、エレベータシステムにおける電気制御系における変更を最小限に抑制した状態で、かご制御盤及び乗場制御盤の表示器に採用されているドットＬＥＤ点灯式表示器又は１６セグメントＬＥＤ点灯式表示器を簡単にかつ短期間でデジタルドットマトリックス式ＬＥＤ表示器に交換でき、顧客及びエレベータの利用者に対するサービスを向上できる。
【発明を実施するための最良の形態】
【００４７】
以下、本発明の各実施形態を図面を用いて説明する。
【００４８】
（第１実施形態）
図１は本発明の第１実施形態に係わるリニューアルエレベータの表示制御装置が組込まれた改修（リニューアル）後のエレベータシステムの概略構成図である。図１０に示す既存のエレベータシステムと同一部分には同一符号を付して、重複する部分の詳細説明は省略する。
【００４９】
この第１実施形態のエレベータシステムは、図１０、図１２に示す既存のエレベータシステムにおけるかご制御盤１６のドットＬＥＤ点灯式表示器１、１６セグメントＬＥＤ点灯式表示器２、及び各階の乗場制御盤２２のドットＬＥＤ点灯式表示器２３、１６セグメントＬＥＤ点灯式表示器２を、図１４、図１５に示すデジタルドットマトリックス式ＬＥＤ表示器３に交換している。
【００５０】
機械室６内に設けられた主制御盤１５の主制御装置１３からのＤＣ５Ｖから、図１０、図１２に示すかご制御盤１６のドットＬＥＤ点灯式表示器１又は１６セグメントＬＥＤ点灯式表示器２へのパラレル表示信号は、入出力回路１４でＤＣ２４Ｖのパラレル表示信号に変換されて６本又は１６本からなる各信号線１９を介して、かご制御盤１６の信号変換部４０へ入力される。この信号変換部４０は入力されたＤＣ２４Ｖのパラレル表示信号をＤＣ５Ｖのパラレル表示信号に電圧変換し、さらにこのパラレル表示信号をデジタルドットマトリックス式ＬＥＤ表示器３に対するパラレルの８本（８ビット）の表示信号３６に変換して、デジタルドットマトリックス式ＬＥＤ表示器３に印加する。
【００５１】
さらに、機械室６内に設けられた主制御盤１５の主制御装置１３からのＤＣ５Ｖから、図１０、図１２に示す各乗場制御盤２２のドットＬＥＤ点灯式表示器２３又は１６セグメントＬＥＤ点灯式表示器２へのパラレル表示信号は、入出力回路１４でＤＣ２４Ｖのパラレル表示信号に変換されて６本又は１６本からなる各信号線２５を介して、乗場制御盤２２の信号変換部４０へ入力される。この信号変換部４０は入力されたＤＣ２４Ｖのパラレル表示信号をＤＣ５Ｖのパラレル表示信号に電圧変換し、さらにこのパラレル表示信号をデジタルドットマトリックス式ＬＥＤ表示器３に対するパラレルの８本（８ビット）の表示信号３６に変換して、デジタルドットマトリックス式ＬＥＤ表示器３に印加する。
【００５２】
図２は、信号変換部４０の概略構成を示すブロック図である。６本又は１６本からなる信号線１９、２５から入力されたＤＣ２４Ｖのパラレル表示信号は、データ入力回路４１でＤＣ５Ｖのパラレル表示信号に変換されて変換処理部４２に入力される。
【００５３】
変換処理部４２内には、ドットＬＥＤ点灯式表示器１に対する表示信号をデジタルドットマトリックス式ＬＥＤ表示器３に対する表示信号に変換する図３に示すＴ（ドットＬＥＤ）／Ｍ（マトリックス）変換テーブル４３と、１６セグメントＬＥＤ点灯式表示器２に対する表示信号をデジタルドットマトリックス式ＬＥＤ表示器３に対する表示信号に変換する図４に示すＳＧ（セグメント）／Ｍ（マトリックス）変換テーブル４４とが設けられている。いずれの変換テーブル４３、４４を使用するかは、操作者にて変換切替スイッチ４５にて選択設定される。
【００５４】
図３に示すＴ（ドットＬＥＤ）／Ｍ（マトリックス）変換テーブル４３内には、図１１（ａ）、（ｃ）に示すドットＬＥＤ点灯式表示器１が取り得る８種類のドットＬＥＤ表示パターンに対する入力信号（６桁の表示信号）のパターンＰ１〜Ｐ８に対するデジタルドットマトリックス式ＬＥＤ表示器３における８種類の表示パターンアドレスＰＡ1〜ＰＡ8が設定されている。
【００５５】
図４に示すＳＧ（セグメント）／Ｍ（マトリックス）変換テーブル４４には、図１３に示す１６セグメントＬＥＤ点灯式表示器２が取り得る８種類のセグメント表示パターンに対する入力信号（１６桁の表示信号）のパターンＰＳ１〜ＰＳ８に対するデジタルドットマトリックス式ＬＥＤ表示器３における８種類の表示パターンアドレスＰＡ1〜ＰＡ8が設定されている。
【００５６】
変換処理部４２は、入力された表示信号の信号パターンＰ１〜Ｐ８（ＰＳ１〜ＰＳ８）に対応するマトリックス表示パターンアドレスＰＡ1〜ＰＡ8を指定された変換テーブル４３、４４から読出して表示コードメモリ４６へ送出する。
【００５７】
表示コードメモリ４６内には、図５に示すように、８種類の表示パターンに対応する８つの各マトリックス表示パターンアドレスＰＡ1〜ＰＡ8に対して、図６のデジタルドットマトリックス式ＬＥＤ表示器３における階床表示用ＬＥＤ３４と方向表示用ＬＥＤ３５との合計１４行における各行の１１個のドット（ＬＥＤ）の点灯状態［Ｄ1、Ｄ2、…、Ｄ11］を示す合計１４個の表示データ（行表示データ）ＤＳ1、ＤＳ2、…、ＤＳ14が設定されている。すなわち、合計１４個の表示データ（行表示データ）ＤＳ1、ＤＳ2、…、ＤＳ14でデジタルドットマトリックス式ＬＥＤ表示器３における階床表示用ＬＥＤ３４と方向表示用ＬＥＤ３５に表示される図７に示す上下２文字（記号）からなる１つの表示パターンのドットパターンＤＰを構成する。
【００５８】
したがって、表示コードメモリ４６内には、図７に示す８種類の表示パターンに対応する８つの各マトリックス表示パターンアドレスＰＡ1〜ＰＡ8に対して、それぞれ対応するドットパターンＤＰ1、ＤＰ2、…、ＤＰ8を示す１４個の表示データ（行表示データ）ＤＳ1、ＤＳ2、…、ＤＳ14が記憶されている。
【００５９】
そして、変換処理部４２から表示パターンアドレスＰＡ1〜ＰＡ8が指定されると、対応する１４個の表示データ（行表示データ）ＤＳ1、ＤＳ2、…、ＤＳ14を順次読み出して、階床・方向コード信号３６として、図６に示すデジタルドットマトリックス式ＬＥＤ表示器３へ送出する。デジタルドットマトリックス式ＬＥＤ表示器３は、前述した手法で、階床・方向コード信号３６が指定する図７に示す表示パターン（方向、階床）を表示する。
【００６０】
このように構成された第１の実施形態のリニューアルエレベータの表示制御装置においては、機械室６内の主制御盤１５の主制御装置１３から信号線１９、２５を介して入力されたドットＬＥＤ点灯式表示器１、２３又は１６セグメントＬＥＤ点灯式表示器２に対するそれぞれのパラレル表示信号は、かご制御盤１６及び乗場制御盤２２に設けられた信号変換部４０でデジタルドットマトリックス式ＬＥＤ表示器３に適合する表示信号（階床・方向コード信号３６）に変換され、デジタルドットマトリックス式ＬＥＤ表示器３に印加される。
【００６１】
したがって、主制御装置１３は、ドットＬＥＤ点灯式表示器１、２３又はセグメントＬＥＤ点灯式表示器２に対するそれぞれの改修前の表示信号で、デジタルドットマトリックス式ＬＥＤ表示器３に表示信号で指定した階床及び方向をドットマトリックス表示できる。
【００６２】
このように、かご制御盤１６及び乗場制御盤２２に信号変換部４０を付加するのみで、簡単に、デジタルドットマトリックス式ＬＥＤ表示器３を導入できるので、改修期間を短縮でき、かつ顧客及び利用客に対するサービスを向上できる。
【００６３】
（第２実施形態）
図８は本発明の第２実施形態に係わるリニューアルエレベータの表示制御装置が組込まれた改修（リニューアル）後のエレベータシステムの概略構成図である。図１０に示す既存のエレベータシステムと同一部分には同一符号を付して、重複する部分の詳細説明は省略する。
【００６４】
この第２実施形態のエレベータシステムは、第１実施形態のエレベータシステムと同様に、図１０、図１２に示す既存のエレベータシステムにおけるかご制御盤１６のドットＬＥＤ点灯式表示器１、１６セグメントＬＥＤ点灯式表示器２、及び各階の乗場制御盤２２のドットＬＥＤ点灯式表示器２３、１６セグメントＬＥＤ点灯式表示器２を、図１４、図１５に示すデジタルドットマトリックス式ＬＥＤ表示器３に交換している。
【００６５】
主制御装置１３から出力された図１０、図１２に示すかご制御盤１６のドットマトリックスＬＥＤ点灯式表示器１又は１６セグメントＬＥＤ点灯式表示器２に対するＤＣ５Ｖのパラレル表示信号は、入出力回路１４でＤＣ２４Ｖに変換され、パラレルの６本又は１６本の信号線１９を介してかご制御盤１６の第１伝送制御部５０へ入力される。
【００６６】
第１伝送制御部５０においては、図９に示すように、６本又は１６本からなる信号線１９を介して入力されたパラレル表示信号の各信号はデータ入力回路５１でＤＣ５Ｖに変換され、変換処理部５２に入力される。変換処理部５２には、図２で説明した、ドットＬＥＤ点灯式表示器１に対する表示信号をデジタルドットマトリックス式ＬＥＤ表示器３に対する表示信号に変換するＴ（ドットＬＥＤ）／Ｍ（マトリックス）変換テーブル４３と、１６セグメントＬＥＤ点灯式表示器２に対する表示信号をデジタルドットマトリックス式ＬＥＤ表示器３に対する表示信号に変換するＳＧ（セグメント）／Ｍ（マトリックス）変換テーブル４４とが接続されている。いずれの変換テーブル４３、４４を使用するかは、操作者にて変換切替スイッチ４５にて選択設定される。さらに、表示コードメモリ４６が接続されている。
【００６７】
したがって、図２に示す信号変換部４０と同等に、入力された表示信号の信号パターンＰ１〜Ｐ８（ＰＳ１〜ＰＳ８）に対応するデジタルドットマトリックス式ＬＥＤ表示器３に対するパラレルの表示信号（階床・方向コード信号３６）がＰ／Ｓ変換部５３でシリアル信号に変換されて、シリアル信号線５４を介して、同じくかご制御盤１６内に設けられた第２伝送制御部５５へ入力される。
【００６８】
第２伝送制御部５５は、入力されたシリアル表示信号を元のパラレルの表示信号（階床・方向コード信号３６）に変換して、デジタルドットマトリックス式ＬＥＤ表示器３に印加する。その結果、デジタルドットマトリックス式ＬＥＤ表示器３に階床・方向コード信号３６が指定する図７に示す表示パターン（方向、階床）が表示される。
【００６９】
かご呼びボタン１７から入力されたパラレルのかご呼び信号は、第２伝送制御部５５でシリアルのかご呼び信号に変換されて、シリアル信号線５４を介して第１伝送制御部５０へ送信され、さらにパラレルのかご呼び信号に変換されて信号線２１を経由して、入出力回路１４へ入力される。
【００７０】
また、主制御装置１３から出力された図１０、図１２に示す乗場制御盤２２のドットＬＥＤ点灯式式表示器２３又は１６セグメントＬＥＤ点灯式表示器２に対するＤＣ５Ｖのパラレル表示信号は、主制御盤１５内に設けられた前記第１伝送制御部５０と同一の信号変換機能を有する第３伝送制御部５６でデジタルドットマトリックス式ＬＥＤ表示器３に対するパラレルの表示信号（階床・方向コード信号３６）に変換され、さらにシリアル表示信号に変換される。
【００７１】
そして、このシリアル表示信号は、シリアル信号線５７を介して各乗場制御盤２２の第４伝送制御部５８へ送信される。各乗場制御盤２２の第４伝送制御部５８は、入力されたシリアル表示信号を元のパラレル表示信号（階床・方向コード信号３６）に変換して、デジタルドットマトリックス式ＬＥＤ表示器３に印加する。その結果、デジタルドットマトリックス式ＬＥＤ表示器３に階床・方向コード信号３６が指定する図７に示す表示パターン（方向、階床）が表示される。
【００７２】
乗場呼びボタン２４から入力されたパラレルの乗場呼び信号は、第４伝送制御部５８でシリアルの乗場呼び信号に変換されてシリアル信号線５７を介して第３伝送制御部５６へ送信され、この第３伝送制御部５６で元のパラレルの乗場呼び信号に変換されて入出力回路１４へ入力される。
【００７３】
このように構成された第２実施形態のリニューアルエレベータの表示制御装置においては、図１に示す第１実施形態のリニューアルエレベータの表示制御装置とほぼ同様の作用効果を得ることができる。
【００７４】
さらに、この第２実施形態においては、機械室６に設けられた主制御装置１３と昇降路５内について、移動制御されるかご４内に設けられたかご制御盤１６とを接続する信号線１９、２１を改修前のパラレル信号の信号線をそのまま採用することにより、昇降路５内に存在する取り扱いが非常に煩雑な主制御装置１３とかご４とを接続する帯状の信号線１９、２１の束であるテールコードを交換する必要がない。
【００７５】
なお、主制御装置１３と各乗場制御盤２２とを接続する信号線は固定配線であるので、シリアル信号線５７に変更することにより、簡単に信号線数を低減できる。
【００７６】
なお、本発明は上述した各実施形態に限定されるものではない。乗場において階床ごとにドットＬＥＤ点灯式表示器１と１６セグメントＬＥＤ点灯式表示器２とを設置したエレベータシステムおいても、それぞれに対して独立した第３伝送制御部５６を備えることで、すべての階床の表示器をデジタルドットマトリックス式ＬＥＤ表示器３に変更することが可能である。
【００７７】
さらに、各表示器をデジタルドットマトリックス式ＬＥＤ表示器３に変更してかつ、乗場の一部階床では既設の表示器をそのまま流用するエレベータシステムの実現も可能である。
【図面の簡単な説明】
【００７８】
【図１】本発明の第１実施形態に係わるリニューアルエレベータの表示制御装置が組込まれた改修後のエレベータシステムの概略構成図
【図２】同第１実施形態のリニューアルエレベータの表示制御装置に組込まれた信号変換部の概略構成を示すブロック図
【図３】同信号変換部に形成されたＴ／Ｍ変換テーブルの記憶内容を示す図
【図４】同信号変換部に形成されたＳＧ／Ｍ変換テーブルの記憶内容を示す図
【図５】同信号変換部に形成された表示コードメモリの記憶内容を示す図
【図６】同第１実施形態のリニューアルエレベータの表示制御装置に組込まれたデジタルマトリックス式ＬＥＤ表示器の概略構成図
【図７】表示パターンと表示データとの関係を示す図
【図８】本発明の第２実施形態に係わるリニューアルエレベータの表示制御装置が組込まれた改修後のエレベータシステムの概略構成図
【図９】同第２実施形態のリニューアルエレベータの表示制御装置に組込まれた第１伝送制御部の概略構成を示すブロック図
【図１０】表示器にドットＬＥＤ点灯式表示器が採用された既存のエレベータシステムの概略構成図
【図１１】ドットＬＥＤ点灯式表示器、かご呼びボタン及び乗場呼びボタンの概略構成図
【図１２】表示器に１６セグメントＩＥＤ点灯式表示器が採用された既存のエレベータシステムの概略構成図
【図１３】１６セグメントＩＥＤ点灯式表示器の概略構成図
【図１４】表示器にデジタルドットマトリックス式ＬＥＤ表示器が採用された既存のエレベータシステムの概略構成図
【図１５】デジタルドットマトリックス式ＬＥＤ表示器の概略構成図
【符号の説明】
【００７９】
１，２３…ドットＬＥＤ点灯式表示器、２…１６セグメントＬＥＤ点灯式表示器、３…デジタルドットマトリックス式ＬＥＤ表示器、４…かご、５…昇降路、６…機械室、１３…主制御装置、１４…入出力回路、１５…主制御盤、１６…かご制御盤、１７…かご呼びボタン、２２…乗場制御盤、２４…乗場呼びボタン、４０…信号変換部、５０…第１伝送制御部、５５…第２伝送制御部、５６…第３伝送制御部、５８…第４伝送制御部
【図１】
2007230692.tif 000003
【図２】
2007230692.tif 000004
【図３】
2007230692.tif 000005
【図４】
2007230692.tif 000006
【図５】
2007230692.tif 000007
【図６】
2007230692.tif 000008
【図７】
2007230692.tif 000009
【図８】
2007230692.tif 000010
【図９】
2007230692.tif 000011
【図１０】
2007230692.tif 000012
【図１１】
2007230692.tif 000013
【図１２】
2007230692.tif 000014
【図１３】
2007230692.tif 000015
【図１４】
2007230692.tif 000016
【図１５】
2007230692.tif 000017